(57)【要約】【課題】使用者の使い勝手を向上する。【解決手段】現金自動預払機１の紙幣入出金機１０は、紙幣に関する取引を受け付ける応対部３と、紙幣を収容する紙幣収容部３１に向かう投入ガイド面２４Ｓが形成された投入ガイド２４と、紙幣が紙幣収容部３１に集積される際に紙幣に当接する紙幣当接面４４Ｓ１と、紙幣当接面４４Ｓ１と投入ガイド面２４Ｓとの間において、投入ガイド面２４Ｓに沿う延長線であるガイド面延長線Ｌ１よりも上側へ突出しないように投入ガイド面２４Ｓ側から紙幣収容部３１に向かって形成されたガイド面４４Ｓ２とが形成されたプールガイド４４を設ける。【選択図】図７
2019204219.tif 000002
【特許請求の範囲】
【請求項１】
媒体を収容する媒体収容部に向かう投入ガイド面が形成された投入ガイドと、
前記媒体が前記媒体収容部に集積される際に前記媒体に当接する媒体当接面と、前記媒体当接面と前記投入ガイド面との間において、前記投入ガイド面に沿う延長線よりも上側へ突出しないように前記投入ガイド面側から前記媒体収容部に向かって形成されたガイド面とが形成されたステージと
を有する媒体処理装置。
【請求項２】
前記ガイド面は、前記投入ガイド面に沿う延長線上にほぼ沿う
請求項１に記載の媒体処理装置。
【請求項３】
前記ガイド面は、前記投入ガイド面とほぼ平行に形成される
請求項１に記載の媒体処理装置。
【請求項４】
前記ガイド面における前記媒体収容部側の端部は、集積部から前記媒体収容部へ放出された前記媒体の移動経路よりも上側に位置する
請求項１に記載の媒体処理装置。
【請求項５】
前記ガイド面は、前記媒体が前記媒体収容部に投入される際に、前記ガイド面が前記投入ガイド面に沿う延長線よりも上側へ突出しない状態となる
請求項１に記載の媒体処理装置。
【請求項６】
前記投入ガイド面は、水平方向に対し傾斜する
請求項１に記載の媒体処理装置。
【請求項７】
前記ステージは、
前記媒体収容部に投入された前記媒体を搬送路に繰り出す分離繰出部と使用者に受け渡す前記媒体を前記媒体収容部に集積させる集積部との間を往復移動し前記媒体を支持するプールガイドと、
前記プールガイドに対向して配置され前記プールガイドよりも前記集積部側において前記分離繰出部と前記集積部との間を往復移動し、前記媒体を押圧するビルプレスと
を含む請求項１に記載の媒体処理装置。
【請求項８】
前記媒体当接面に対する前記ガイド面の傾斜角度は、３０度〜６０度である
請求項１に記載の媒体処理装置。
【請求項９】
前記媒体収容部は、上方から前記媒体が投入され、
前記ステージは、上端部において前記ガイド面の少なくとも一部分を形成するよう上方に向かって立設した突起部を有する
請求項１に記載の媒体処理装置。
【請求項１０】
前記ステージは、前記突起部の左右外側において、前記突起部の上端から左右外側に向かって下方へ傾斜する肉盛部面が形成された肉盛部を有する
請求項９に記載の媒体処理装置。
【請求項１１】
前記肉盛部は、水平方向に対する前記肉盛部面の傾斜角度が３０度〜６０度であるか、又は左右方向の幅が１０［ｍｍ］以上であるかの、少なくとも何れか一方を満たす
請求項１０に記載の媒体処理装置。
【請求項１２】
前記ステージは、前記突起部よりも左右方向外側において、左右外側に向かって下方へ傾斜する傾斜削り部面が形成された傾斜削り部を有する
請求項９に記載の媒体処理装置。
【請求項１３】
前記傾斜削り部は、左右方向の幅がほぼ５０［ｍｍ］であるか、又は深さが１０［ｍｍ］〜２０［ｍｍ］であるかの、少なくとも何れか一方を満たす
請求項１２に記載の媒体処理装置。
【請求項１４】
前記突起部は、左右一対設けられ、
前記ステージは、前記突起部同士の間に、前記媒体当接面から窪んだ指先ガイド凹みが形成されている
請求項９に記載の媒体処理装置。
【請求項１５】
前記指先ガイド凹みは、左右方向の幅が４０［ｍｍ］〜５０［ｍｍ］であるか、深さが１０［ｍｍ］〜２０［ｍｍ］であるか、又は曲率半径が１０［ｍｍ］〜２０［ｍｍ］であるかの、少なくとも何れか一方を満たす
請求項１４に記載の媒体処理装置。
【請求項１６】
紙葉状の媒体に関する取引を受け付ける利用者応対部と、
前記媒体を収容する媒体収容部に向かう投入ガイド面が形成された投入ガイドと、
前記媒体が前記媒体収容部に集積される際に前記媒体に当接する媒体当接面と、前記媒体当接面と前記投入ガイド面との間において、前記投入ガイド面に沿う延長線よりも上側へ突出しないように前記投入ガイド面から前記媒体収容部に向かって形成されたガイド面とが形成されたステージと
を有する媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、使用者（金融機関の顧客等）との取引内容に応じて、例えば該使用者に紙幣や硬貨等の現金を入金させる入金取引や、使用者へ現金を出金する出金取引等の各種取引を行う。また現金自動預払機の種類として、ある取引において使用者から入金された紙幣を次回以降の取引において再利用して他の使用者へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある（例えば、特許文献１参照）。この紙幣入出金機は、例えば使用者との間で紙幣の授受を行う接客部と、紙幣を搬送する搬送部と、投入された紙幣の金種及び真偽等を鑑別する鑑別部と、投入された紙幣を一時的に保留する一時保留部とを有している。また紙幣入出金機は、再利用可能な紙幣を金種ごとに分けて収納する紙幣収納庫と、再利用すべきでない紙幣を収納するリジェクト庫とを有している。
【０００４】
そのような現金自動預払機の接客部においては、収容器に投入された紙幣を搬送路に繰り出す分離繰出部と使用者に受け渡す紙幣を収容器に集積させる集積部との間を往復移動し紙幣を支持するプールガイドと、プールガイドに対向して配置されプールガイドよりも集積部側において分離繰出部と集積部との間を往復移動し紙幣を押圧するビルプレスとを有するものがある。プールガイド及びビルプレスは、入金時においては、入出金口から使用者が入金した紙幣を挟持して分離繰出部まで運ぶ。一方プールガイド及びビルプレスは、出金時においては、使用者へ出金すべき紙幣を挟持して入出金口まで運ぶ。
【０００５】
図１０に従来の接客部１１２を、図１１に従来のプールガイド１４４を示す。プールガイド１４４は、集積動作時において集積部４８から収容器３０の紙幣収容部３１へ放出された紙幣に当接し紙幣の走行路として機能する紙幣当接面４４Ｓ１が、リブ１６４の後端面に形成されている。
【先行技術文献】
【特許文献】
【０００６】
【特許文献１】特開２０１３−１７４９４６号公報
【発明の概要】
【発明が解決しようとする課題】
【０００７】
このようなプールガイド１４４は、使用者が紙幣を投入する際に、リブ１６４の後端部が上方まで突出しているため、リブ１６４に紙幣ＢＬが接触してしまい挿入し難いといった問題があった。
【０００８】
本発明は以上の点を考慮してなされたもので、使用者の使い勝手を向上し得る媒体処理装置及び媒体取引装置を提案しようとするものである。
【課題を解決するための手段】
【０００９】
かかる課題を解決するため本発明の媒体処理装置においては、媒体を収容する媒体収容部に向かう投入ガイド面が形成された投入ガイドと、媒体が媒体収容部に集積される際に媒体に当接する媒体当接面と、媒体当接面と投入ガイド面との間において、投入ガイド面に沿う延長線よりも上側へ突出しないように投入ガイド面側から媒体収容部に向かって形成されたガイド面とが形成されたステージとを設けるようにした。
【００１０】
また本発明の媒体取引装置においては、紙葉状の媒体に関する取引を受け付ける利用者応対部と、媒体を収容する媒体収容部に向かう投入ガイド面が形成された投入ガイドと、媒体が媒体収容部に集積される際に媒体に当接する媒体当接面と、媒体当接面と投入ガイド面との間において、投入ガイド面に沿う延長線よりも上側へ突出しないように投入ガイド面側から媒体収容部に向かって形成されたガイド面とが形成されたステージとを設けるようにした。
【００１１】
本発明は、ステージのガイド面が投入ガイド面の延長線よりも上側に位置しないようにすることができ、使用者が媒体を投入する際に、ガイド面に媒体が接触してしまうことを抑止できる。
【発明の効果】
【００１２】
本発明によれば、使用者の使い勝手を向上し得る媒体処理装置及び媒体取引装置を実現できる。
【図面の簡単な説明】
【００１３】
【図１】現金自動預払機の外観構成を示す斜視図である。
【図２】紙幣入出金機の構成を示す左側面図である。
【図３】接客部の構成を示す左側面図である。
【図４】投入ポジションにおける接客部の構成を示す左側面図である。
【図５】繰出ポジションにおける接客部の構成を示す左側面図である。
【図６】集積ポジションにおける接客部の構成を示す左側面図である。
【図７】プールガイドの構成（１）を示す斜視図である。
【図８】プールガイドの構成（２）を示す背面図である。
【図９】プールガイドの構成（３）を示す左側面図である。
【図１０】従来の接客部の構成を示す左側面図である。
【図１１】従来のプールガイドの構成を示す斜視図である。
【発明を実施するための形態】
【００１４】
以下、発明を実施するための形態（以下実施の形態とする）について、図面を用いて説明する。
【００１５】
［１．実施の形態］
［１−１．現金自動預払機の構成］
図１に外観を示すように現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１６】
筐体２は、その前側に使用者が対峙した状態で紙幣の投入やタッチパネルによる操作等をしやすい箇所に応対部３が設けられている。応対部３は、カード入出口４、入出金口５、操作表示部６、テンキー７及びレシート発行口８が設けられており、使用者との間で例えば現金やカード等を直接やり取りすると共に、取引に関する情報の通知や操作指示の受付を行う。
【００１７】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタ３２（図３）を駆動することにより開放又は閉塞する。
【００１８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
以下では、現金自動預払機１のうち使用者が対峙する側を前側とし、その反対を後側とし、該前側に対峙した使用者から見て左及び右をそれぞれ左側及び右側とし、さらに上側及び下側を定義して説明する。
【００２０】
筐体２の内部には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２１】
［１−２．紙幣入出金機の構成］
図２に示すように紙幣入出金機１０は、内部に媒体としての紙幣に関する種々の処理を行う複数の部分が組み込まれている。この紙幣は、例えば紙や樹脂等の材料により、薄い長方形の紙葉状に形成されている。以下では紙幣入出金機１０内において紙幣が搬送される方向を搬送方向とも呼び、搬送方向と紙幣の厚み方向とに直交する左右方向を搬送幅方向とも呼ぶ。
【００２２】
紙幣入出金機１０には、紙幣制御部１１、接客部１２、上前搬送部１３、鑑別部１４、上後搬送部１５、一時保留部１６、リジェクト庫１７、下搬送部１８及び複数の紙幣収納庫１９が設けられている。
【００２３】
紙幣制御部１１は、主制御部９と同様、図示しないＣＰＵを中心に構成されており、図示しないＲＯＭやフラッシュメモリ等から所定のプログラムを読み出して実行することにより、入金取引や出金取引等に関する種々の処理を行い、紙幣入出金機１０を統括制御する。また紙幣制御部１１は、内部にＲＡＭ及びフラッシュメモリ等でなる記憶部を有しており、この記憶部に種々の情報を記憶させる。
【００２４】
接客部１２は、紙幣入出金機１０内における前側上部に位置している。この接客部１２は、図３に示すように、使用者から入金された紙幣及び使用者へ出金すべき紙幣を収容する収容器３０を内部に有しており、その上方をシャッタ３２により開閉し得るようになっている。収容器３０内には、複数の紙幣が紙面を前後方向に向けて集積された状態で、すなわち前後方向に沿って整列された状態で収容される。また収容器３０の下方には、取込口３４、取込搬送路３６、放出搬送路３８及び放出口４０が設けられている。取込口３４は収容器３０における下端の前側に、放出口４０は収容器３０における下端の後側にそれぞれ配置されている。
【００２５】
上前搬送部１３（図２）は、上側の接客部１２、後側の鑑別部１４及び下側の下搬送部１８とそれぞれ接続される３本の搬送路を有しており、これらの接続部分に切替器が設けられている。この上前搬送部１３は、紙幣制御部１１の制御に基づき、接客部１２及び鑑別部１４を接続する搬送経路と、鑑別部１４及び下搬送部１８を接続する搬送経路とに搬送路を切り替える。
【００２６】
鑑別部１４は、接客部１２の下側且つ上前搬送部１３の後側に位置している。鑑別部１４は、その内部において、前後方向に沿った搬送路が形成され、この搬送路に沿って磁気センサ、イメージセンサ及び厚みセンサ等の複数のセンサが配置されている。この鑑別部１４は、搬送路に沿って搬送される紙幣から各センサにより得られる種々の検知結果を鑑別結果として紙幣制御部１１へ送出する。これに応じて紙幣制御部１１は、この鑑別結果を基に紙幣の金種、真偽、正損（損傷しているか否か）等を判断すると共に搬送状態を認識し、得られた結果を基に該紙幣の搬送経路や搬送先を決定する。
【００２７】
上後搬送部１５は、接客部１２及び鑑別部１４の後側に位置している。この上後搬送部１５は、接客部１２、鑑別部１４、一時保留部１６、リジェクト庫１７及び下搬送部１８とそれぞれ接続される複数本の搬送路が形成されており、各搬送路の接続箇所に切替器がそれぞれ設けられている。
【００２８】
この上後搬送部１５は、紙幣制御部１１の制御に基づき、鑑別部１４及び接客部１２を接続する搬送経路と、鑑別部１４及び一時保留部１６を接続する搬送経路と、鑑別部１４及び下搬送部１８を接続する搬送経路とに搬送路を切り替える。これに加えて上後搬送部１５は、一時保留部１６及び接客部１２を接続する搬送経路と、下搬送部１８及びリジェクト庫１７を接続する搬送経路とに搬送路を切り替える。
【００２９】
一時保留部１６は、いわゆるテープエスクロ方式を採用しており、円筒状に形成され回転するドラムや、このドラムの周側面に一端が固定されたテープ、このテープを他端側から巻き取るリール、及びテープを所定の走行路に沿って走行させるプーリ等を有している。この一時保留部１６は、上後搬送部１５から紙幣を受け取ると、ドラムを所定の巻取方向へ回転させ、この紙幣をテープと共に周側面に巻き付けて収納する。また一時保留部１６は、ドラムを巻取方向と反対の巻戻方向へ回転させると、該ドラムの周側面からテープと共に紙幣を引き剥がし、これを繰り出して上後搬送部１５に順次引き渡す。
【００３０】
リジェクト庫１７は、内部に紙幣を収納する収納空間を有すると共に、この収納空間内へ紙幣を放出する放出機構を有している。このリジェクト庫１７は、上後搬送部１５から紙幣を受け取ると、この紙幣を放出機構により収納空間内へ放出し、集積した状態で収納する。因みにリジェクト庫１７には、例えば損傷の程度が大きく出金すべきで無いと判断された紙幣（以下これをリジェクト紙幣と呼ぶ）が搬送され、収納される。
【００３１】
下搬送部１８は、上前搬送部１３、鑑別部１４、上後搬送部１５及びリジェクト庫１７の下側に位置しており、上前搬送部１３、上後搬送部１５及び４個の紙幣収納庫１９とそれぞれ接続された搬送路が形成されると共に、各搬送路の接続箇所に切替器がそれぞれ設けられている。この下搬送部１８は、紙幣制御部１１の制御に基づき、上前搬送部１３及び各紙幣収納庫１９を接続する搬送経路と、上後搬送部１５及び各紙幣収納庫１９を接続する搬送経路とに搬送路を切り替える。
【００３２】
紙幣収納庫１９は、上下方向に長い直方体状に形成されており、その内部に紙幣を集積して収納する収納空間、該収納空間の上側に配置され紙幣の分離処理及び放出処理を行う分離放出部等が設けられている。また各紙幣収納庫１９は、それぞれ収納すべき紙幣の金種が予め設定されている。紙幣収納庫１９は、紙幣を収納する収納処理を行う場合、上側の下搬送部１８から紙幣を受け取ると、この紙幣を収納庫搬送部により分離放出部へ搬送して収納空間内へ放出し、該収納空間内に集積した状態で収納する。また紙幣収納庫１９は、紙幣を繰り出す繰出処理を行う場合、収納空間内に集積された紙幣を分離放出部により１枚ずつに分離し、これを収納庫搬送部により上方へ搬送して上側の下搬送部１８に引き渡すことにより繰り出す。
【００３３】
［１−３．接客部の構成］
図３及び図４に示すように、接客部１２は箱状の接客部筐体２２を中心に構成されており、該接客部筐体２２の内部に、収容器３０、ビルプレス４２、プールガイド４４、分離繰出部４６及び集積部４８を有している。接客部筐体２２は、収容器３０の上方の前寄り、すなわち使用者が現金自動預払機１と対峙した際にプールガイド４４よりも使用者側の上側に、側面視で略三角形状の投入ガイド２４が形成されている。投入ガイド２４は、前方から紙幣収容部３１に向かうように、水平方向に対し後方へ向かうに連れて下方へ傾斜する平面である投入ガイド面２４Ｓが形成されることにより、紙幣収容部３１に投入される紙幣や、使用者の手をガイドしている。以下では、この投入ガイド面２４Ｓに沿う延長線をガイド面延長線Ｌ１（図４）とも呼ぶ。また以下では、紙幣ＢＬが投入される元の方向である上方向を、投入元方向とも呼ぶ。
【００３４】
収容器３０は、紙幣ＢＬを収容する空間を有し、内部にビルプレス４２、プールガイド４４、フロアガイド（図示せず）及びサイドガイド（図示せず）を有している。紙幣収容部３１は、紙幣を立位の状態で収容する空間であり、ビルプレス４２、プールガイド４４、フロアガイド（図示せず）及びサイドガイド（図示せず）により囲まれて構成される。また紙幣収容部３１は、シャッタ３２が後方へ移動することにより入出金口５を介し外部へ開放される一方、該シャッタ３２が前方へ移動することにより外部から閉鎖される。
【００３５】
分離繰出部４６は、ピックアップローラ５０、フィードローラ５１及びゲートローラ５２により構成されている。ピックアップローラ５０は、収容器３０の前側における底板の上方に設けられ、その外周面の一部にゴム等の摩擦係数の大きい高摩擦部材が取り付けられており、図３中反時計回り（繰出方向）へ回転することにより、底板上に立位の状態の紙幣を取込搬送路３６側に送り出す。フィードローラ５１は、ピックアップローラ５０に対し紙幣の繰出方向の下流側である下側に設けられ、その外周面の一部にゴム等の摩擦係数の大きい高摩擦部材が取り付けられており、図３中反時計回り（繰出方向）へ回転することにより、ピックアップローラ５０によって送り出された紙幣を取込口３４を介して取込搬送路３６へと繰り出す。ゲートローラ５２は、フィードローラ５１の後側に対向配置され、紙幣の繰出時には回転しないことにより収容器３０から送り出されてきた紙幣を１枚ずつ分離する。
【００３６】
プールガイド４４は、側面視台形状の部材であり、それぞれ後側における下側の３分の２程度の範囲に紙幣当接面４４Ｓ１が、上側の３分の１程度の範囲にガイド面４４Ｓ２が形成されている。このプールガイド４４は、収容器３０の前側において紙幣の繰出方向の直交方向（すなわち前後方向）に往復移動可能に構成されている。プールガイド４４は紙幣当接面４４Ｓ１の一部に図示しない孔部が穿設されており、紙幣を繰り出す際、該孔部からピックアップローラ５０の外周が紙幣収容部３１内に突出する位置まで移動する。
【００３７】
紙幣当接面４４Ｓ１は、収容器３０内に立位の状態で集積された紙幣ＢＬの紙面とほぼ平行な平面であり、集積された紙幣ＢＬの紙面に当接することにより、紙幣ＢＬを立位の状態で保つ。また紙幣当接面４４Ｓ１は、紙幣が放出搬送路３８から紙幣収容部３１に集積される集積動作時において、集積部４８から紙幣収容部３１へ放出された紙幣に当接することにより、紙幣をガイドし、紙幣の搬送路としても機能する。ガイド面４４Ｓ２は、紙幣当接面４４Ｓ１の上端部から前方へ向かうに連れて上方へ傾斜する平面であり、集積部４８から紙幣収容部３１へ放出された紙幣の放出経路の延長線よりも上側に形成され、紙幣収容部３１に投入される紙幣や、使用者の手をガイドする。このガイド面４４Ｓ２は、投入ガイド面２４Ｓとほぼ平行に形成されており、投入ポジション（図４）においてガイド面延長線Ｌ１上に位置している。このガイド面４４Ｓ２は、投入ガイド面２４Ｓよりも紙幣収容部３１側において、前方から紙幣収容部３１に向かうように、水平方向に対し後方へ向かうに連れて下方へ傾斜する平面であるとも言える。
【００３８】
集積部４８は、収容器３０の後側における下方に設けられた集積ローラ５４と、該集積ローラ５４の後側に対向配置されたプレッシャローラ５５とにより構成されている。集積部４８は、集積ローラ５４を図３中時計回り（集積方向）に、プレッシャローラ５５を図３中反時計回り（集積方向）にそれぞれ回転させることにより、出金処理で使用者に払い出す紙幣や、入金処理における入金リジェクト紙幣が放出搬送路３８によって接客部１２へと搬送されてきた際に、該紙幣を放出口４０を介して収容器３０へ集積させる。集積ローラ５４の回転軸である集積ローラ軸には、ゴム等の弾性部材で形成された舌片５６が、左右方向に所定の間隔を空けて複数本設けられている。この舌片５６は、集積ローラ５４と共に図３中時計回りへ回転することにより、紙幣収容部３１へ送り出された紙幣の下端部分を叩き、該紙幣をプールガイド４４側に沿わせて移動させる。
【００３９】
ビルプレス４２は、側面視台形状の部材であり、収容器３０の後寄りにおいてプールガイド４４に前後方向に対向して設けられており、紙幣の繰出方向の直交方向（すなわち前後方向）に往復移動可能に構成されている。このビルプレス４２は、紙幣を収容器３０から取込搬送路３６へ繰り出す際にはプールガイド４４と共にピックアップローラ５０側へと移動し、ピックアップローラ５０に紙幣を押圧する。またビルプレス４２は、上下方向のほぼ中央部分から下端部分にかけて形成された平面状の支持面４２Ｓ１と、該支持面４２Ｓ１の上端から後方へ傾く平面状の傾斜面４２Ｓ２とが形成されている。
【００４０】
このビルプレス４２とプールガイド４４とは、それぞれ互いに独立して前後に移動可能に構成されている。以下ではビルプレス４２及びプールガイド４４をまとめてステージ２９とも呼ぶ。
【００４１】
［１−４．投入ポジション］
使用者との間で入金取引を行う場合の紙幣投入時において、接客部１２は、図４に示すように、入出金口５の下方で、プールガイド４４とビルプレス４２とを、入出金口５の開口よりも狭く且つ使用者の手が入る程度の前後幅で紙幣収容部３１を構成するように所定の間隔だけ離間させて配置させ、投入ポジションとする。続いて接客部１２は、シャッタ３２を開いて入出金口５を開放することにより、使用者に入出金口５から紙幣ＢＬを投入させる。接客部１２は、図示しないセンサが最後に紙幣ＢＬを投入する使用者の手を検知してから所定時間経過後にシャッタ３２を閉鎖させる。
【００４２】
［１−５．繰出ポジション］
紙幣ＢＬが投入されると繰出動作時において接客部１２は、プールガイド４４及びビルプレス４２により紙幣ＢＬを立位の状態で挟持したまま、図５に示すようにビルプレス４２及びプールガイド４４をピックアップローラ５０側へと移動させることにより繰出ポジションとする。この繰出ポジションにおいて、ピックアップローラ５０がプールガイド４４の孔部から紙幣収容部３１内に突出し、立位の状態で収容されている紙幣ＢＬに当接する。続いて接客部１２は、ピックアップローラ５０及びフィードローラ５１を繰出方向へ回転させることにより、ピックアップローラ５０に当接している紙幣をフィードローラ５１とゲートローラ５２との間に送り出し、フィードローラ５１とゲートローラ５２との間で紙幣を１枚ずつ分離させて取込搬送路３６へ繰り出す。紙幣入出金機１０は、紙幣ＢＬを鑑別部１４へ搬送して鑑別させ、鑑別結果に応じて紙幣を各紙幣収納庫１９に収納し、入金処理を行う。
【００４３】
［１−６．集積ポジション］
リジェクト紙幣又は出金する紙幣を放出搬送路３８を介して紙幣収容部３１に集積する場合の集積動作時において、接客部１２は、図６に示すように、プールガイド４４及びビルプレス４２を集積ローラ５４側へと移動させると共に、ビルプレス４２を図６中時計回りに回動させ、集積ポジションとする。このとき、投入ポジションよりもビルプレス４２が図６中時計回りに回動することにより、支持面４２Ｓ１がプールガイド４４の紙幣当接面４４Ｓ１に対して平行な状態から集積ローラ５４側に傾いた状態となる。このためビルプレス４２の支持面４２Ｓ１の下端部が、放出口４０よりも後方に位置した状態となる。
【００４４】
そして紙幣入出金機１０は、集積ローラ５４及びプレッシャローラ５５を集積方向へ回転させると共に、一時保留部１６又は紙幣収納庫１９から紙幣を放出搬送路３８によって紙幣収容部３１へと搬送する。接客部１２は、ビルプレス４２の支持面４２Ｓ１に沿うように紙幣ＢＬを放出紙幣経路Ｌ２に沿って紙幣収容部３１内に進入させ、舌片５６によってプールガイド４４側へと叩きプールガイド４４の紙幣当接面４４Ｓ１に沿って集積していく。
【００４５】
［１−７．プールガイドの構成］
図７、図８及び図９に示すようにプールガイド４４は、搬送幅方向、すなわち左右方向の中央部を対称の中心として左右対称に形成されている。プールガイド４４は、後端面における下側の半分程度の範囲に、紙幣当接面４４Ｓ１の下側の一部分である、ほぼ上下左右方向に沿う平面の下側当接面６１が形成されている。下側当接面６１は、収容器３０内に立位の状態で集積された紙幣の紙面とほぼ平行な平面であり、集積された紙幣の紙面に当接することにより、紙幣を立位の状態で保つ。以下では紙幣当接面４４Ｓ１が沿う方向を当接面延在方向Ｄ１（図９）とも呼ぶ。当接面延在方向Ｄ１は、上下方向に対し上方が僅かに前方へ傾斜している。
【００４６】
プールガイド４４の左右方向の中央部における上端部近傍の前端部には、紙幣当接面４４Ｓ１（下側当接面６１）と直交するようにほぼ前後左右方向に沿う平面である上側平面６７が形成されている。以下では上側平面６７が沿う方向を上側平面延在方向Ｄ２（図９）とも呼ぶ。上側平面延在方向Ｄ２は、当接面延在方向Ｄ１と直交しており、水平方向に対し後方が僅かに上方へ傾斜している。
【００４７】
プールガイド４４の紙幣当接面４４Ｓ１における左右方向の中央部の上端近傍からは、プールガイド４４の前端へ向けて背面視で湾曲するような略半円形状に、紙幣当接面４４Ｓ１及び上側平面６７から下方へ凹むような、指先ガイド凹み６２が形成されている。この指先ガイド凹み６２は、後述する内側リブ６４ｉ同士の間に形成され、プールガイド４４の左右方向のほぼ３分の１程度の左右方向の幅を有しており、底面が左側面視において前方へ向かうに連れて上方へ向かうような形状で、プールガイド４４の肉が削られるように形成されている。この指先ガイド凹み６２は、上端部の左右方向の内壁間の幅、すなわち削り幅である凹み削り幅Ｗｃ１が４０［ｍｍ］〜５０［ｍｍ］程度に、内側リブ６４ｉの後方上端部からの上下方向の深さ、すなわち指先ガイド凹み６２において最も深さが深い箇所の深さである凹み深さＤｃ１が１０［ｍｍ］〜２０［ｍｍ］程度に、曲率半径である凹み曲率半径Ｒｃ１が１０［ｍｍ］〜２０［ｍｍ］程度に形成されている。
【００４８】
指先ガイド凹み６２の左右外側からは、突起部としての左右一対のリブ６４が上側平面６７よりも上方まで立設している。リブ６４は、内側リブ６４ｉと外側リブ６４ｏとにより構成されている。
【００４９】
内側リブ６４ｉは、左右方向の幅が薄い板状部材であり、プールガイド４４の後端から前端までに亘ってほぼ前後方向に沿って形成されている。この内側リブ６４ｉは、それぞれ後端面に内側リブ後端面６４ｉｂｓが、上端面に内側リブ上端面６４ｉｕｓが形成されている。内側リブ後端面６４ｉｂｓは、紙幣当接面４４Ｓ１の上側半分程度の範囲の一部分を形成している。内側リブ上端面６４ｉｕｓは、ガイド面４４Ｓ２の一部分を形成している。内側リブ上端面６４ｉｕｓは、紙幣当接面４４Ｓ１の上端部から前方へ向かうに連れて上方へ傾斜する平面であり、放出紙幣経路Ｌ２（図６）よりも上側に形成され、紙幣収容部３１に投入される紙幣や、使用者の手をガイドする。この内側リブ上端面６４ｉｕｓは、ガイド面延長線Ｌ１（図４）とほぼ平行に形成されており、投入ポジション（図４）においてガイド面延長線Ｌ１上に位置している。内側リブ６４ｉは、上側平面６７に対する内側リブ上端面６４ｉｕｓの傾斜角度であるリブ傾斜角度Ａｒ１が、３０度〜６０度程度に形成されている。換言すれば内側リブ６４ｉは、紙幣当接面４４Ｓ１（下側当接面６１）に対する傾斜角度が、６０度〜３０度程度に形成されている。またこの内側リブ６４ｉの左右方向の間隔は、集積部４８から紙幣収容部３１へ放出された紙幣が斜行（スキュー）していても、該紙幣に確実に当接し斜行を補正できる程度の間隔となっている。具体的に内側リブ６４ｉの左右方向の間隔は、紙幣入出金機１０内部における搬送ローラの左右方向の間隔とほぼ同じ間隔となっている。
【００５０】
外側リブ６４ｏは、上端部の左右方向の幅が内側リブ６４ｉと同等程度に薄い部材であり、溝部６６を挟んで内側リブ６４ｉの左右外側においてプールガイド４４の後端から前端までに亘って前後方向に沿って形成されている。この外側リブ６４ｏは、後端面に外側リブ後端面６４ｏｂｓが、上端面の紙幣当接面４４Ｓ１側（後側）の半分程度に、内側リブ６４ｉと同様の高さであり平行な外側リブ上後端面６４ｏｕｂｓが、上端面の紙幣当接面４４Ｓ１から離隔する側（前側）の半分程度に、内側リブ６４ｉよりも低い高さであり、且つ上側平面６７と同様の高さであり平行な外側リブ上前端面６４ｏｕｆｓが形成されている。外側リブ後端面６４ｏｂｓは、紙幣当接面４４Ｓ１の上側３分の１程度の範囲の一部分を形成している。外側リブ上後端面６４ｏｕｂｓは、ガイド面４４Ｓ２の一部分を形成している。
【００５１】
このように紙幣当接面４４Ｓ１は、下側当接面６１、内側リブ後端面６４ｉｂｓ及び外側リブ後端面６４ｏｂｓにより構成されている。またガイド面４４Ｓ２は、内側リブ上端面６４ｉｕｓ及び外側リブ上後端面６４ｏｕｂｓにより構成されている。
【００５２】
内側リブ６４ｉと外側リブ６４ｏとの間には、溝部６６が形成されている。溝部６６は、内側リブ６４ｉ及び外側リブ６４ｏと左右方向の幅が同等程度であり、プールガイド４４の後端から前端までに亘って内側リブ上端面６４ｉｕｓ及び外側リブ上後端面６４ｏｕｂｓから下方へ凹むように前後方向に沿って形成されている。
【００５３】
外側リブ６４ｏの左右外側には、外側リブ６４ｏの上端部からプールガイド４４の左右端部へ向かって下側へ傾斜するような傾斜部６８が形成されている。傾斜部６８は、肉盛部７０と傾斜削り部７２とにより構成されている。
【００５４】
肉盛部７０は、外側リブ６４ｏの左右外側において、プールガイド４４の前端から後端までに亘って前後方向に沿って形成されている。この肉盛部７０は、従来のプールガイド１４４（図１１）と比較して、外側リブ６４ｏの左右外側の脇に肉が盛られたような形状となっている。また肉盛部７０は、外側リブ６４ｏの上端部から連続的に、左右外側に向かうに連れて下方へ傾斜するような平面である肉盛部面７０Ｓが形成されている。この肉盛部７０は、水平方向に対する肉盛部面７０Ｓの傾斜角度である肉盛部傾斜角度Ａｃ３が３０度〜６０度程度に、外側リブ６４ｏの上端部から肉盛部面７０Ｓの左右外側端部までの上下方向の深さである肉盛部深さＤｃ３が１０［ｍｍ］以上に形成されている。
【００５５】
傾斜削り部７２は、肉盛部７０の左右外側からプールガイド４４の左右端部までに亘って形成されている。この傾斜削り部７２は、肉盛部７０の下端部からプールガイド４４の左右端部に向かうに連れて下方へ傾斜するような傾斜削り部面７２Ｓが形成されている。この傾斜削り部７２は、肉盛部７０の左右外側端部からプールガイド４４の左右端部までの削り幅である傾斜削り幅Ｗｃ２が５０［ｍｍ］程度に、外側リブ６４ｏの上端部から傾斜削り部面７２Ｓの左右外側端部までの上下方向の深さである傾斜削り部深さＤｃ２が１０［ｍｍ］〜２０［ｍｍ］程度に形成されている。
【００５６】
ここで、外側リブ６４ｏは、外側リブ上後端面６４ｏｕｂｓの前方において、前方に向かうに連れて該外側リブ上後端面６４ｏｕｂｓの延長線よりも下方へ傾斜する外側リブ上前端面６４ｏｕｆｓが形成されている。このため傾斜部６８は、外側リブ６４ｏにおける後端部と、プールガイド４４の左右端部における前端部とを結ぶ稜線部８０を境目として、それぞれ後方に傾斜削り部面７２Ｓが、前方に前方傾斜面７４が形成されている。前方傾斜面７４は、後方に向かうに連れて外側リブ６４ｏの前端部よりも下方へ傾斜する平面になっている。
【００５７】
［１−８．効果等］
図１０及び図１１に示したように、従来の接客部１１２においては、ガイド面延長線Ｌ１よりも上側にリブ１６４が突出してしまっていたため、使用者が紙幣ＢＬを投入する際にリブ１６４に紙幣ＢＬが接触してしまい挿入し難いといった問題があった。また従来のプールガイド１４４は、リブ１６４の上面がほぼ水平方向に沿っているため、紙幣投入時においてリブ１６４の上面に紙幣ＢＬが載ってしまうことがあった。
【００５８】
これに対し現金自動預払機１の紙幣入出金機１０は、プールガイド４４のガイド面４４Ｓ２を投入ガイド２４の投入ガイド面２４Ｓとほぼ平行に形成すると共に、投入ポジションにおいてガイド面４４Ｓ２をガイド面延長線Ｌ１上に位置させるようにした。このため紙幣入出金機１０は、プールガイド４４の投入ガイド面２４Ｓがガイド面延長線Ｌ１よりも上側に位置しないようにすることができると共に、プールガイド４４の投入ガイド面２４Ｓと投入ガイド面２４Ｓとを、互いに近接する箇所において急激に角度が変化しないように、滑らかにつなげることができる。これにより紙幣入出金機１０は、紙幣が紙幣収容部３１に投入される際にリブ６４に紙幣が引っ掛かってしまうことを防ぐことができると共に、投入された紙幣がガイド面４４Ｓ２の上を滑らかに滑り落ちるようにさせることができる。
【００５９】
このように紙幣入出金機１０は、使用者が紙幣を投入する際に、プールガイド４４における紙幣走行路を形成するリブ６４に紙幣を当たり難くし、紙幣が引っ掛からずに滑らかに滑り落ちるようにでき、従来のプールガイド１４４（図１１）と比較して紙幣を挿入し易くすることができる。
【００６０】
またプールガイド４４は、紙幣当接面４４Ｓ１とガイド面４４Ｓ２との接触部を、放出紙幣経路Ｌ２よりも上側に配置させる、すなわち紙幣当接面４４Ｓ１を放出紙幣経路Ｌ２よりも上方まで形成する、換言すればガイド面４４Ｓ２における紙幣収容部３１側の下端部を放出紙幣経路Ｌ２よりも上側に配置するようにした。このためプールガイド４４は、集積部４８から放出された紙幣を紙幣当接面４４Ｓ１に衝突させ、紙幣を正常に集積させることができる。
【００６１】
また従来のプールガイド１４４（図１１）は、リブ１６４が壁のように立設しているため、使用者がリブ１６４の左右外側に指を入れた際にリブ１６４に指が引っ掛かってしまったり、リブ１６４が尖っている形状であるため、使用者が紙幣を投入する際に、怪我をしそうで怖いというような視覚的な違和感を与えてしまったりするおそれがあった。
【００６２】
これに対し紙幣入出金機１０は、プールガイド４４の外側リブ６４ｏの左右方向外側脇における後端から前端までの全範囲に亘って肉を盛るように肉盛部７０を形成することにより、外側リブ６４ｏを鋭く細く尖らせないようにして鈍く尖らせるようにした。このため紙幣入出金機１０は、従来のプールガイド１４４（図１１）と比較して、外側リブ６４ｏが左右方向に細く尖らないようにでき、プールガイド４４の上部が尖っていないようにできる。これにより紙幣入出金機１０は、使用者が紙幣を投入する際に、従来のプールガイド１４４（図１１）と比較して、使用者が外側リブ６４ｏの左右方向の外側に指を入れるときに外側リブ６４ｏが段差になってしまい指が当たることを防止できると共に、怪我をしそうで怖いというようなリブ６４に視覚的な違和感を与えてしまうことを防ぐことができる。
【００６３】
また紙幣入出金機１０は、プールガイド４４の肉盛部７０の左右方向外側からプールガイド４４の左右端部に向かうに連れて下方へ滑らかに傾斜するような傾斜削り部７２を形成するようにした。このため紙幣入出金機１０は、肉盛部７０の左右端部と同様の高さで左右端部までプールガイド４４が形成されていた場合と比較して、投入する際に使用者が紙幣を見やすいようにできる。
【００６４】
さらに紙幣入出金機１０は、プールガイド４４の左右方向の真中の肉を削り、指先ガイド凹み６２を形成するようにした。このため紙幣入出金機１０は、紙幣を摘みながら紙幣収容部３１へ使用者が紙幣を投入する際にプールガイド４４の指先ガイド凹み６２に使用者の指先を入れさせることにより、入金時において使用者が紙幣を投入しやすくできる。
【００６５】
以上の構成によれば現金自動預払機１の紙幣入出金機１０は、紙葉状の媒体としての紙幣に関する取引を受け付ける応対部３と、紙幣を収容する媒体収容部としての紙幣収容部３１に向かう投入ガイド面２４Ｓが形成された投入ガイド２４と、紙幣が紙幣収容部３１に集積される際に紙幣に当接する媒体当接面としての紙幣当接面４４Ｓ１と、紙幣当接面４４Ｓ１と投入ガイド面２４Ｓとの間において、投入ガイド面２４Ｓに沿う延長線であるガイド面延長線Ｌ１よりも上側へ突出しないように投入ガイド面２４Ｓ側から紙幣収容部３１に向かって形成されたガイド面４４Ｓ２とが形成されたプールガイド４４とを設けるようにした。
【００６６】
これにより紙幣入出金機１０は、プールガイド４４のガイド面４４Ｓ２がガイド面延長線Ｌ１よりも上側に位置しないようにすることができ、使用者が紙幣を投入する際に、ガイド面４４Ｓ２の後端部に紙幣が接触してしまうことを抑止できる。
【００６７】
［２．他の実施の形態］
なお上述した実施の形態においては、ガイド面４４Ｓ２（内側リブ上端面６４ｉｕｓ及び外側リブ上後端面６４ｏｕｂｓ）を投入ポジション（図４）においてガイド面延長線Ｌ１上に配置する場合について述べた。本発明はこれに限らず、ガイド面４４Ｓ２（内側リブ上端面６４ｉｕｓ及び外側リブ上後端面６４ｏｕｂｓ）を投入ポジション（図４）においてガイド面延長線Ｌ１よりも下側に配置しても良い。その場合、使用者がリブ６４により一層接触しないようにできる。
【００６８】
また上述した実施の形態においては、ガイド面４４Ｓ２を投入ガイド面２４Ｓとほぼ平行に形成する場合について述べた。本発明はこれに限らず、ガイド面４４Ｓ２を投入ガイド面２４Ｓと平行に形成しなくても良い。要は投入ポジション（図４）においてガイド面４４Ｓ２がガイド面延長線Ｌ１よりも投入元方向である上側まで突出しなければ良い。
【００６９】
さらに上述した実施の形態においては、指先ガイド凹み６２を背面視で略半円形状とする場合について述べた。本発明はこれに限らず、背面視で四角形状等、使用者の指先が入る窪みであれば、他の種々の形状でも良い。
【００７０】
さらに上述した実施の形態においては、肉盛部面７０Ｓ及び傾斜削り部面７２Ｓを平面形状とする場合について述べた。本発明はこれに限らず、肉盛部面７０Ｓ及び傾斜削り部面７２Ｓは、例えば湾曲するような形状等、他の種々の形状であっても良い。要は、左右外側に向かうに連れて下方へ傾斜する面であれば良い。
【００７１】
さらに上述した実施の形態における凹み削り幅Ｗｃ１、凹み深さＤｃ１、凹み曲率半径Ｒｃ１、リブ傾斜角度Ａｒ１、左右傾斜面削り幅Ｗｃ２、左右傾斜面深さＤｃ２、肉盛部傾斜角度Ａｃ３及び肉盛部深さＤｃ３は、同様の機能を発揮できれば、他の種々の数値であっても良い。
【００７２】
さらに上述した実施の形態においては、プールガイド４４のガイド面４４Ｓ２を、接客部筐体２２における投入ガイド２４の投入ガイド面２４Ｓに沿うガイド面延長線Ｌ１に沿うようにする場合について述べた。本発明はこれに限らず、プールガイド４４のガイド面４４Ｓ２を、紙幣収容部３１と使用者との間においてプールガイド４４の上端部近傍に配置された種々の機構の面に沿う延長線に沿うようにしても良い。
【００７３】
さらに上述した実施の形態においては、ビルプレス４２が前後方向に移動する場合について述べた。本発明はこれに限らず、ビルプレス４２は移動せず固定されていても良い。
【００７４】
さらに上述した実施の形態においては、接客部１２に本発明を適用する場合について述べた。本発明はこれに限らず、紙幣収納庫１９等、外部から紙幣が投入される他の種々の箇所に本発明を適用しても良い。
【００７５】
さらに上述した実施の形態においては、使用者との間で媒体としての紙幣に関する取引処理を行う現金自動預払機１の紙幣入出金機１０に本発明を適用する場合について述べた。しかしながら本発明はこれに限らず、例えば各種金券や証券等、或いは入場券や乗車券のような種々の紙葉状の媒体を取り扱う種々の装置に本発明を適用しても良い。
【００７６】
さらに上述した実施の形態においては、利用者応対部としての応対部３と、投入ガイドとしての投入ガイド２４と、ステージとしてのステージ２９とによって媒体取引装置としての現金自動預払機１を構成する場合について述べた。しかしながら本発明はこれに限らず、その他種々の構成でなる利用者応対部と、投入ガイドと、ステージとによって媒体取引装置を構成しても良い。
【産業上の利用可能性】
【００７７】
本発明は、例えば使用者との間で紙幣に関する入金取引や出金取引を行う現金自動預払機に組み込まれる紙幣入出金機で利用できる。
【符号の説明】
【００７８】
１……現金自動預払機、２……筐体、３……応対部、４……カード入出口、５……入出金口、６……操作表示部、７……テンキー、８……レシート発行口、９……主制御部、１０……紙幣入出金機、１１……紙幣制御部、１２、１１２……接客部、１３……上前搬送部、１４……鑑別部、１５……上後搬送部、１６……一時保留部、１７……リジェクト庫、１８……下搬送部、１９……紙幣収納庫、２２……接客部筐体、２４……投入ガイド、２４Ｓ……投入ガイド面、２９……ステージ、３０……収容器、３１……紙幣収容部、３２……シャッタ、３４……取込口、３６……取込搬送路、３８……放出搬送路、４０……放出口、４２……ビルプレス、４２Ｓ１……支持面、４２Ｓ２……傾斜面、４４、１４４……プールガイド、４４Ｓ１……紙幣当接面、４４Ｓ２……ガイド面、４６……分離繰出部、４８……集積部、５０……ピックアップローラ、５１……フィードローラ、５２……ゲートローラ、５４……集積ローラ、５５……プレッシャローラ、５６……舌片、６１……下側当接面、６２……指先ガイド凹み、６４、１６４……リブ、６４ｉ……内側リブ、６４ｉｕｓ……内側リブ上端面、６４ｉｂｓ……内側リブ後端面、６４ｏ……外側リブ、６４ｏｕｂｓ……外側リブ上後端面、６４ｏｕｆｓ……外側リブ上前端面、６４ｏｂｓ……外側リブ後端面、６６……溝部、６７……上側平面、６８……傾斜部、７０……肉盛部、７０Ｓ……肉盛部面、７２……傾斜削り部、７２Ｓ……傾斜削り部面、７４……前方傾斜面、８０……稜線部、Ｌ１……ガイド面延長線、Ｌ２……放出紙幣経路、Ｄ１……当接面延在方向、Ｄ２……上側平面延在方向、Ｗｃ１……凹み削り幅、Ｄｃ１……凹み深さ、Ｒｃ１……凹み曲率半径、Ａｒ１……リブ傾斜角度、Ｗｃ２……傾斜削り部削り幅、Ｄｃ２……傾斜削り部深さ、Ａｃ３……肉盛部傾斜角度、Ｄｃ３……肉盛部深さ。
【図１】
2019204219.tif 000003
【図２】
2019204219.tif 000004
【図３】
2019204219.tif 000005
【図４】
2019204219.tif 000006
【図５】
2019204219.tif 000007
【図６】
2019204219.tif 000008
【図７】
2019204219.tif 000009
【図８】
2019204219.tif 000010
【図９】
2019204219.tif 000011
【図１０】
2019204219.tif 000012
【図１１】
2019204219.tif 000013